(57)【要約】【課題】  ウエストサイズ調節機構付衣服において、見た目は通常のパンツ等の衣服と変わることなく、連続的にウエストサイズを変化させられること。【解決手段】  ウエストサイズ調節機構付衣服としての婦人用パンツ１は、上前ベルト部２の裏側に鉤構成体ホール５が設けられ、下前ベルト部３の表側にメンカン６が設けられて、上前ベルト部２内部に設けられた移動布に縫付けられたカギホック４が鉤構成体ホール５から外へ出ており、鉤構成体ホール５内で移動可能となっている。カギホック４をメンカン６に係合して、ファスナーを閉じることによって、婦人用パンツ１は連続的にウエストサイズが変化してゆったりとした着用感が得られる。そして、鉤構成体ホール５は、上前ベルト部２の裏側に設けられているため外部から見えることはなく、見た目は通常の婦人用パンツと何等変わるところがない。【選択図】        図１
2005146478.tif 000002
【特許請求の範囲】
【請求項１】
衣服を分離自在に結合し、前記衣服のウエストサイズを所定の範囲で調節自在とする結合具と、
衣服の上前ベルト部または下前ベルト部に弾性材を介してベルト方向に移動可能に取り付けられた所定長さの移動布と、
前記移動布に取付けられた鉤構成体と、
前記衣服の上前ベルト部裏地または下前ベルト部表地に設けられ、前記鉤構成体が受構成体に嵌合可能に突出して、前記弾性材の弾性力に抗して前記移動布がベルト方向に移動するのに伴って前記鉤構成体が移動可能な鉤構成体ホールとを具備し、
前記結合具は、前記移動布に縫付けられ前記鉤構成体ホール内から突出した鉤構成体と、前記衣服の下前ベルト部表地または上前ベルト部裏地に取付けられた受構成体とからなることを特徴とするウエストサイズ調節機構付衣服。
【請求項２】
衣服を分離自在に結合し、前記衣服のウエストサイズを所定の範囲で調節自在とする結合具と、
前記結合具により前記衣服のウエストサイズを調節自在とする範囲で形状変化を自在とし、前記衣服の上前に設けられた上下方向に伸びるタックと、
前記衣服の上前に設けられたタックに縫代となる一方のファスナーテープが縫付けられ、かつ、前記衣服の下前に縫代となる他方のファスナーテープが縫付けられたファスナーと、
前記衣服の上前ベルト部または下前ベルト部に弾性材を介してベルト方向に移動可能に取り付けられた所定長さの移動布と、
前記移動布に取付けられた鉤構成体と、
前記衣服の上前ベルト部裏地または下前ベルト部表地に設けられ、前記鉤構成体が受構成体に嵌合可能に突出して、前記弾性材の弾性力に抗して前記移動布がベルト方向に移動するのに伴って前記鉤構成体が移動可能な鉤構成体ホールとを具備し、
前記結合具は、前記移動布に縫付けられ前記鉤構成体ホール内から突出した鉤構成体と、前記衣服の下前ベルト部表地または上前ベルト部裏地に取付けられた受構成体とからなることを特徴とするウエストサイズ調節機構付衣服。
【請求項３】
前記上前ベルト部または前記下前ベルト部に縦テープの両端を縫付けて、前記移動布の裏側に横方向に一または二以上の噴き出し防止テープを前記縦テープの下を横方向に移動可能に通して縫付けたことを特徴とする請求項１または請求項２に記載のウエストサイズ調節機構付衣服。
【請求項４】
前記上前ベルト部の裏側または前記下前ベルト部の表側の前記鉤構成体ホールに相当する位置に横テープの両端を縫付けて、前記移動布の裏側に縦方向に一または二以上の噴き出し防止テープを前記横テープの下を横方向に移動可能に通して縫付けたことを特徴とする請求項１または請求項２に記載のウエストサイズ調節機構付衣服。
【請求項５】
前記上前ベルト部の裏側または前記下前ベルト部の表側の前記鉤構成体ホールに相当する位置に横長のテープを左端だけ縫付け、前記弾性材または前記移動布の裏側に前記横長のテープの下側に縦方向テープを通して上下端を縫付け、前記鉤構成体ホールの右端に相当する位置に縦テープを取付けて前記弾性材または前記移動布の裏側に前記横長のテープを前記縦テープの下を通して前記横長のテープの右端を縫付けたことを特徴とする請求項１または請求項２に記載のウエストサイズ調節機構付衣服。
【請求項６】
前記移動布の裏側の中央線に沿って「く」の字形に折り曲げたテープを折り曲げ線において縫付け、前記テープの両端は前記上前ベルト部または前記下前ベルト部に設けられた前記鉤構成体ホールの位置において前記上前ベルト部または前記下前ベルト部に縫付け、前記縫付けられた折り曲げ線の左右の余ったテープはタック状に折り畳んだことを特徴とする請求項１または請求項２に記載のウエストサイズ調節機構付衣服。
【請求項７】
前記移動布の裏側の前記「く」の字形に折り曲げたテープの下を一または二以上の横テープを通して前記横テープの両端を前記移動布の裏側に縫付けたことを特徴とする請求項６に記載のウエストサイズ調節機構付衣服。
【請求項８】
前記結合具は、前記移動布に縫付けられ前記鉤構成体ホールを通して表側に出された前記鉤構成体と前記衣服の下前ベルト部の表側または上前ベルト部の裏側に取付けられた前記受構成体と、これらとは離して前記上前ベルト部の裏側に取付けられた受構成体または鉤構成体と前記下前ベルト部の表側に取付けられた鉤構成体または受構成体とからなることを特徴とする請求項１乃至請求項７のいずれか１つに記載のウエストサイズ調節機構付衣服。
【請求項９】
前記弾性材には、その最大伸びを制限する伸び止め材を並設したことを特徴とする請求項１乃至請求項８のいずれか１つに記載のウエストサイズ調節機構付衣服。
【請求項１０】
前記移動布と前記伸び止め材としてベルト部表地と同系色の裏地を用いたことを特徴とする請求項１乃至請求項９のいずれか１つに記載のウエストサイズ調節機構付衣服。
【請求項１１】
前記衣服の前記鉤構成体ホールを設けた側のベルト部の上半分及び／または下半分及び／または移動布を硬めの芯で補強したことを特徴とする請求項１乃至請求項１０のいずれか１つに記載のウエストサイズ調節機構付衣服。
【発明の詳細な説明】
【技術分野】
【０００１】
本発明は、ズボン（パンツ）、スカートのウエスト部分の分割部分を結合するカギホックを取り付けたウエストサイズ調節機構付衣服に関するものであり、特に、着用する人の衣服のウエストサイズを調節できるウエストサイズ調節機構付ズボン、ウエストサイズ調節機構付スカート等のウエストサイズ調節機構付衣服に関するものであり、衣服全般に適用できるものである。
【背景技術】
【０００２】
本発明者は、先に、着用する人のウエストサイズに合わせてウエストサイズを調節できるとともに、着用する人のウエストサイズだけでなく腰近傍の寸法が多少変化しても、着用感や見栄えを損なわないズボン、スカート等のウエストサイズ調節機構付衣服であって、結合具としてボタン・ドット釦等も使用することができ、連続的にウエストサイズを変化させることができる状態とウエストサイズを固定した状態とを容易に切り替えられるウエストサイズ調節機構付衣服にかかる発明についての出願をしている（特許文献１）。
【０００３】
この発明のウエストサイズ調節機構付衣服においては、中央タブをゴムテープを介してズボン（パンツ）の下前のベルト部に取付け、ゴムテープはオーバーベルトで隠してベルト方向に移動可能な中央タブにボタンやドット釦等を取付け、上前のベルト部に対応するボタンホールやドット釦を設けて、さらに下前のベルト部にも直接ボタンやドット釦等を取付けることによって、中央タブのボタンやドット釦等を上前のベルト部のボタンホールやドット釦等に嵌合させた場合には、ウエストサイズはゴムテープが伸縮可能な範囲内でフリーサイズとなり、ゆったりとした着用感が得られる。また、下前のベルト部に直接取付けられたボタンやドット釦等を上前のベルト部のボタンホールやドット釦等に嵌合させた場合には、ウエストサイズが固定された状態となる。
【特許文献１】特開２００２−３３９１１３号公報
【発明の開示】
【発明が解決しようとする課題】
【０００４】
しかしながら、上記特許文献１に記載の発明においては、中央タブやオーバーベルトといった余分な部材が外から見えるため、見た目がすっきりとせず、人によっては見栄えを損なうと感じる。また、カギホックとメンカンを結合具としてウエストサイズを調節できるようにする場合でも、中央タブやオーバーベルトといった余分な部材が必要になるという問題点があった。
【０００５】
そこで、本発明は、カギホックとメンカン（鉤構成体と受構成体）を結合具として、見た目は通常のズボン（パンツ）等の衣服と変わることなく、連続的にウエストサイズを変化させることができる、さらには連続的にウエストサイズを変化させることができる状態とウエストサイズを固定した状態とを容易に切り替えることができるウエストサイズ調節機構付衣服の提供を課題とするものである。
【課題を解決するための手段】
【０００６】
請求項１の発明にかかるウエストサイズ調節機構付衣服は、衣服を分離自在に結合し、前記衣服のウエストサイズを所定の範囲で調節自在とする結合具と、衣服の上前ベルト部または下前ベルト部に弾性材を介してベルト方向に移動可能に取り付けられた所定長さの移動布と、前記移動布に取付けられた鉤構成体と、前記衣服の上前ベルト部裏地または下前ベルト部表地に設けられ、前記鉤構成体が受構成体に嵌合可能に突出して、前記弾性材の弾性力に抗して前記移動布がベルト方向に移動するのに伴って前記鉤構成体が移動可能な鉤構成体ホールとを具備し、前記結合具は、前記移動布に縫付けられ前記鉤構成体ホール内から突出した鉤構成体と、前記衣服の下前ベルト部表地または上前ベルト部裏地に取付けられた受構成体とからなるものである。
【０００７】
請求項２の発明にかかるウエストサイズ調節機構付衣服は、衣服を分離自在に結合し、前記衣服のウエストサイズを所定の範囲で調節自在とする結合具と、前記結合具により前記衣服のウエストサイズを調節自在とする範囲で形状変化を自在とし、前記衣服の上前に設けられた上下方向に伸びるタックと、前記衣服の上前に設けられたタックに縫代となる一方のファスナーテープが縫付けられ、かつ、前記衣服の下前に縫代となる他方のファスナーテープが縫付けられたファスナーと、前記衣服の上前ベルト部または下前ベルト部に弾性材を介してベルト方向に移動可能に取り付けられた所定長さの移動布と、前記移動布に取付けられた鉤構成体と、前記衣服の上前ベルト部裏地または下前ベルト部表地に設けられ、前記鉤構成体が受構成体に嵌合可能に突出して、前記弾性材の弾性力に抗して前記移動布がベルト方向に移動するのに伴って前記鉤構成体が移動可能な鉤構成体ホールとを具備し、前記結合具は、前記移動布に縫付けられ前記鉤構成体ホール内から突出した鉤構成体と、前記衣服の下前ベルト部表地または上前ベルト部裏地に取付けられた受構成体とからなるものである。
【０００８】
請求項３の発明にかかるウエストサイズ調節機構付衣服は、請求項１または請求項２の構成において、前記上前ベルト部または前記下前ベルト部に縦テープの両端を縫付けて、前記移動布の裏側に横方向に一または二以上の噴き出し防止テープを前記縦テープの下を横方向に移動可能に通して縫付けたものである。
【０００９】
請求項４の発明にかかるウエストサイズ調節機構付衣服は、請求項１または請求項２の構成において、前記上前ベルト部の裏側または前記下前ベルト部の表側の前記鉤構成体ホールに相当する位置に横テープの両端を縫付けて、前記移動布の裏側に縦方向に一または二以上の噴き出し防止テープを前記横テープの下を横方向に移動可能に通して縫付けたものである。
【００１０】
請求項５の発明にかかるウエストサイズ調節機構付衣服は、請求項１または請求項２の構成において、前記上前ベルト部の裏側または前記下前ベルト部の表側の前記鉤構成体ホールに相当する位置に横長のテープを左端だけ縫付け、前記弾性材または前記移動布の裏側に前記横長のテープの下側に縦方向テープを通して上下端を縫付け、前記鉤構成体ホールの右端に相当する位置に縦テープを取付けて前記弾性材または前記移動布の裏側に前記横長のテープを前記縦テープの下を通して前記横長のテープの右端を縫付けたものである。
【００１１】
請求項６の発明にかかるウエストサイズ調節機構付衣服は、請求項１または請求項２の構成において、前記移動布の裏側の中央線に沿って「く」の字形に折り曲げたテープを折り曲げ線において縫付け、前記テープの両端は前記上前ベルト部または前記下前ベルト部に設けられた前記鉤構成体ホールの位置において前記上前ベルト部または前記下前ベルト部に縫付け、前記縫付けられた折り曲げ線の左右の余ったテープはタック状に折り畳んだものである。
【００１２】
請求項７の発明にかかるウエストサイズ調節機構付衣服は、請求項６の構成において、前記移動布の裏側の前記「く」の字形に折り曲げたテープの下を一または二以上の横テープを通して前記横テープの両端を前記移動布の裏側に縫付けたものである。
【００１３】
請求項８の発明にかかるウエストサイズ調節機構付衣服は、請求項１乃至請求項７のいずれか１つの構成において、前記結合具は、前記移動布に縫付けられ前記鉤構成体ホールを通して表側に出された前記鉤構成体と前記衣服の下前ベルト部の表側または上前ベルト部の裏側に取付けられた前記受構成体と、これらとは離して前記上前ベルト部の裏側に取付けられた受構成体または鉤構成体と前記下前ベルト部の表側に取付けられた鉤構成体または受構成体とからなるものである。
【００１４】
請求項９の発明にかかるウエストサイズ調節機構付衣服は、請求項１乃至請求項８のいずれか１つの構成において、前記弾性材には、その最大伸びを制限する伸び止め材を並設したものである。
【００１５】
請求項１０の発明にかかるウエストサイズ調節機構付衣服は、請求項１乃至請求項９のいずれか１つの構成において、前記移動布と前記伸び止め材としてベルト部表地と同系色の裏地を用いたものである。
【００１６】
請求項１１の発明にかかるウエストサイズ調節機構付衣服は、請求項１乃至請求項１０のいずれか１つの構成において、前記衣服の前記鉤構成体ホールを設けた側のベルト部の上半分及び／または下半分及び／または移動布を硬めの芯で補強したものである。
【発明の効果】
【００１７】
請求項１の発明にかかるウエストサイズ調節機構付衣服は、衣服の上前ベルト部または下前ベルト部に弾性材を介してベルト方向に移動可能に取り付けられた所定長さの移動布に鉤構成体を縫付け、上前ベルト部裏地または下前ベルト部表地に設けられた鉤構成体ホールから鉤構成体を表に出し、下前ベルト部または上前ベルト部に設けられた受構成体に鉤構成体を係合することによって、弾性材が伸縮可能な範囲内で鉤構成体が鉤構成体ホール内を移動してフリーサイズとなり、ゆったりとした着用感が得られる。そして、鉤構成体ホールは、上前ベルト部の裏側に設けた場合には外からは見えず、下前ベルト部の表側に設けた場合には鉤構成体が上前ベルト部の裏側の受構成体に係合することによって、そのまま上前ベルト部に、或いは下前ベルト部に持ち出しを付けたり、上前ベルト部にポイントを設けることによって隠れるので、見た目は通常の衣服と何等変わるところがない。
【００１８】
このようにして、鉤構成体と受構成体を結合具として、見た目は通常の衣服と変わることなく、見栄え良く連続的にウエストサイズを変化させることができるウエストサイズ調節機構付衣服となる。
【００１９】
請求項２の発明にかかるウエストサイズ調節機構付衣服は、ウエストサイズの変化に伴ってファスナーテープが移動できるように、ファスナーテープを縫付けるズボン等の上前にタックを設けるとともに、上前ベルト部または下前ベルト部に弾性材を介してベルト方向に移動可能に取り付けられた所定長さの移動布に鉤構成体を取付け、上前ベルト部裏地または下前ベルト部表地に設けられた鉤構成体ホールから鉤構成体を表に出し、下前ベルト部または上前ベルト部に取付けられた受構成体に鉤構成体を係合することによって、弾性材が伸縮可能な範囲内で鉤構成体が鉤構成体ホール内を移動してフリーサイズとなり、ゆったりとした着用感が得られる。
【００２０】
そして、鉤構成体ホールは、上前ベルト部の裏側に設けた場合には外からは見えず、下前ベルト部の表側に設けた場合には鉤構成体が上前ベルト部の裏側の受構成体に係合することによって、そのまま上前ベルト部に、或いは下前ベルト部に持ち出しを付けたり、上前ベルト部にポイントを設けることによって隠れるので、見た目は通常の衣服と何等変わるところがない。しかも、ウエストサイズの変化に伴ってファスナーテープが移動するため、ウエスト近傍に皺等が生じることもない。
【００２１】
ここで、上前ベルト部の裏側に鉤構成体ホールを設けた場合でも、ファスナーテープを移動させるためのスライディングテープは上前ベルト部の表側に取付けられ、薄い生地で仕切って、上前ベルト部の裏側に弾性材と移動布と鉤構成体を取付けて鉤構成体ホール内を移動させることができ、スライディングテープの動きを妨げることがない。
【００２２】
このようにして、見た目は通常の衣服と変わることなく、見栄え良く連続的にウエストサイズを変化させることができ、ウエストサイズの変化に伴ってウエスト近傍に皺等が生じることもないウエストサイズ調節機構付衣服となる。
【００２３】
請求項３の発明にかかるウエストサイズ調節機構付衣服は、上前ベルト部または下前ベルト部に縦テープの両端を縫付けて、移動布の裏側に横方向に一または二以上の噴き出し防止テープを縦テープの下を横方向に移動可能に通して縫付けたものである。したがって、鉤構成体に無理な力が掛かって上方に引張られても、鉤構成体が縫付けられている移動布や弾性材が鉤構成体ホールから外へ引き出されてしまう所謂「噴き出し」が防止される。
【００２４】
このようにして、見栄え良く連続的にウエストサイズを変化させることができるとともに噴き出しを防止することができるウエストサイズ調節機構付衣服となる。
【００２５】
請求項４の発明にかかるウエストサイズ調節機構付衣服は、上前ベルト部の表側または前記下前ベルト部の裏側の前記鉤構成体ホールに相当する位置に横テープの両端を縫付けて、前記移動布の裏側に縦方向に一または二以上の噴き出し防止テープを前記横テープの下を横方向に移動可能に通して縫付けたものである。したがって、鉤構成体に無理な力が掛かって上方に引張られても、鉤構成体が縫付けられている移動布や弾性材が鉤構成体ホールから外へ引き出されてしまう噴き出しが防止される。
【００２６】
このようにして、見栄え良く連続的にウエストサイズを変化させることができるとともに噴き出しを防止することができるウエストサイズ調節機構付衣服となる。
【００２７】
請求項５の発明にかかるウエストサイズ調節機構付衣服は、上前ベルト部の裏側または下前ベルト部の表側の鉤構成体ホールに相当する位置に横長のテープを左端だけ縫付け、弾性材または移動布の裏側に横長のテープの下側に縦方向テープを通して上下端を縫付け、鉤構成体ホールの右端に相当する位置に縦テープを取付けて弾性材または移動布の裏側に横長のテープを縦テープの下を通して横長のテープの右端を縫付けたものである。これによって、鉤構成体の移動範囲が左端でも右端でも限定され、弾性材に無理な力が掛かる恐れがなく、しかもスムーズに鉤構成体を鉤構成体ホール内で移動させることができる。
【００２８】
このようにして、見栄え良く連続的にウエストサイズを変化させることができるとともに、弾性材を長持ちさせることができ、噴き出しを防止することができるウエストサイズ調節機構付衣服となる。
【００２９】
請求項６の発明にかかるウエストサイズ調節機構付衣服は、移動布の裏側に「く」の字形に折り曲げたテープを折り曲げ線において縫付け、テープの両端は上前ベルト部に設けられた鉤構成体ホールの位置において上前ベルト部に縫付け、縫付けられた折り曲げ線の左右の余ったテープはタック状に折り畳んだものである。これによって、鉤構成体が鉤構成体ホール内でウエストサイズが緩む方向に引張られたとき、テープの中央のタック状部分が上下に分散されるので、遊びが少なくなる。したがって、鉤構成体を無理に鉤構成体ホール外へ引張っても、噴き出しが起こり難い。また、テープの中央部分がタック状に折りたたまれているため、弾性材の引張り力が強い場合の戻りが良くなる。
【００３０】
このようにして、見栄え良く連続的にウエストサイズを変化させることができるとともに噴き出しを防止することができるウエストサイズ調節機構付衣服となる。
【００３１】
請求項７の発明にかかるウエストサイズ調節機構付衣服は、移動布の裏側の「く」の字形に折り曲げたテープの下を一または二以上の横テープを通して横テープの両端を移動布の裏側に縫付けたものである。したがって、移動布の移動がよりスムーズになるとともに、より噴き出しが起こり難くなる。
【００３２】
このようにして、見栄え良く連続的にウエストサイズを変化させることができるとともに噴き出しを防止することができるウエストサイズ調節機構付衣服となる。
【００３３】
請求項８の発明にかかるウエストサイズ調節機構付衣服は、結合具として移動布に縫付けられ鉤構成体ホールを通して表側に出された鉤構成体と下前ベルト部または上前ベルト部に取付けられた受構成体と、これらから離して上前ベルト部に取付けられた受構成体または鉤構成体と下前ベルト部に取付けられた鉤構成体または受構成体とを併設したものである。
【００３４】
したがって、鉤構成体ホール内の鉤構成体と受構成体のみを嵌合させた場合には、弾性材の伸縮可能な範囲内で連続的にウエストサイズを変化させることができる（フリーサイズ）。また、上前ベルト部の裏側に取付けられた鉤構成体または受構成体を下前ベルト部に取付けられた受構成体または鉤構成体に係止した場合には、ウエストサイズは一定のサイズに固定される。
【００３５】
このようにして、見た目は通常の衣服と変わることなく、連続的にウエストサイズを変化させることができるフリーサイズ状態とウエストサイズを固定した状態とを容易に切り替えることができるウエストサイズ調節機構付衣服となる。
【００３６】
請求項９の発明にかかるウエストサイズ調節機構付衣服は、弾性材には、その最大伸びを制限する伸び止め材を並設したものである。
【００３７】
したがって、鉤構成体が移動可能な鉤構成体ホールの長さ以上に引張られないように弾性材の伸びの長さを制限することができるから、皺がよったりしてウエスト周りの見栄えが損なわれることがない。また、弾性材に過度の引っ張り力がかかるのを防止することができるから、弾性材の寿命が長くなる。
【００３８】
このようにして、見た目は通常の衣服と変わることなく、連続的にウエストサイズを変化させることができるとともに弾性材の寿命を長くすることができるウエストサイズ調節機構付衣服となる。
【００３９】
請求項１０の発明にかかるウエストサイズ調節機構付衣服は、移動布と伸び止め材としてベルト部表地と同系色の裏地を用いたものである。裏地は滑りが良く薄手なので嵩張らないため、弾性材の伸縮と移動布の移動が極めてスムーズに行われる。また、ベルト部表地と同系色としたため、衣服の前明を開いて鉤構成体ホールが見えた場合でも内部の移動布や伸び止め材が目立たないため、見栄えを損なわずに済む。
【００４０】
このようにして、弾性材の伸縮と移動布の移動が極めてスムーズに行われ、鉤構成体ホールが目立たないウエストサイズ調節機構付衣服となる。
【００４１】
請求項１１の発明にかかるウエストサイズ調節機構付衣服は、衣服の鉤構成体ホールを設けた側のベルト部の上半分及び／または下半分及び／または移動布を硬めの芯で補強したものである。これによって、移動布の移動がスムーズになり、また移動布が弾性材の伸びる方向に移動したときに衣服のベルト部に皺がよることが防止される。
【００４２】
このようにして、弾性材の伸縮と移動布の移動が極めてスムーズに行われ、見た目は通常の衣服と変わることなく、連続的にウエストサイズを変化させることができるウエストサイズ調節機構付衣服となる。
【発明を実施するための最良の形態】
【００４３】
以下、本発明の実施の形態について、図面を参照しつつ説明する。本発明のウエストサイズ調節機構付衣服は、主に婦人用ズボン（婦人用パンツ）に適用されるものであるが、紳士用ズボンにも適用することができる。
【００４４】
実施の形態１
まず、本発明の実施の形態１について、図１乃至図５を参照して説明する。本発明の実施の形態１は、本発明のウエストサイズ調節機構付衣服を主に婦人用パンツに適用した場合を例示するものである。
【００４５】
図１は本発明の実施の形態１にかかるウエストサイズ調節機構付衣服の前明を外した状態を裏側から見て示す部分図である。図２は本発明の実施の形態１にかかるウエストサイズ調節機構付衣服の上前部分の構造を示す説明図である。図３は本発明の実施の形態１にかかるウエストサイズ調節機構付衣服における上前部分に設けられたタックの構造を示す斜視図である。図４（ａ）は本発明の実施の形態１にかかるウエストサイズ調節機構付衣服の鉤構成体ホールが設けられた上前ベルト部を開いた状態を示す図、（ｂ）は鉤構成体を弾性材の引張り力に抗して移動させた状態を示す図である。図５は本発明の実施の形態１の変形例にかかるウエストサイズ調節機構付衣服の上前ベルト部を開いた状態を示す図である。
【００４６】
図１に示されるように、本実施の形態１にかかるウエストサイズ調節機構付衣服としての婦人用パンツ１は、上前ベルト部２の裏側に鉤構成体ホール５が設けられ、鉤構成体ホール５の周囲はコバステッチ押えされており、下前ベルト部３の表側に受構成体としてのメンカン６が設けられて、上前ベルト部２内部に設けられた移動布に縫付けられた鉤構成体としてのカギホック４が鉤構成体ホール５から外へ出ており、カギホック４は鉤構成体ホール５内で移動可能となっている。このカギホック４を下前ベルト部３のメンカン６に係合して、上前にファスナーテープＦａが縫付けられたファスナーＦｂを下前に縫付けられた図示しないファスナーと合わせて閉じることによって、婦人用パンツ１は連続的にウエストサイズが変化してゆったりとした着用感が得られる。そして、鉤構成体ホール５は、上前ベルト部２の裏側に設けられているため外部から見えることはなく、見た目は通常のパンツと何等変わるところがない。
【００４７】
しかも、以下に詳しく説明するように、ウエストサイズの変化に伴って上前のファスナーテープＦａの下に設けられたタック３０が伸縮して上前のファスナーテープＦａが移動するため、ウエスト近傍に皺等が生じることもない。
【００４８】
次に、本実施の形態１のウエストサイズ調節機構付衣服としての婦人用パンツ１におけるファスナーテープ移動機構について、図２及び図３を参照して説明する。
【００４９】
図２に示されるように、本実施の形態１の婦人用パンツ１においては、上前裏側３１ａにタック（フラシ）３０を縦方向に設けて、このタック３０にファスナーテープＦａを縫付けている。図３に示すように、タック３０は、上前３１ａの生地を外側の折り返し部分３０ａと内側の折り返し部分３０ｂの２箇所で折り返すことによって、折り返し部分３０ａから折り返し部分３０ｂの区間で折り重なり部分を生ぜしめ、この折り重なり部分が引き延ばされることによって婦人用パンツ１のウエストサイズを調節自在とする範囲で形状変化を自在としたものである。図に示すように、この折り重なり部分はタック３０の上端で最も幅が大きく、下方に行くにしたがって小さくなり下端で消滅する。
【００５０】
図３に示すように、一方のファスナーテープＦａはタック３０の折り重なり部分の上側において、上前３１ａに縫付けられる。一方のファスナーテープＦａに沿って並ぶ複数のむしＦｂと噛み合う他方のファスナーテープＦａは、図示しない下前に縫付けられる。そして、婦人用パンツ１の前明は、各ファスナーテープＦａの複数のむしＦｂを噛み合わせて２つのファスナーテープＦａを結合するスライダーＦｃを上下動することによって開閉できるようになっている。
【００５１】
さらに、図２に示すように一方のファスナーテープＦａの上端は、上前ベルト部２の裏地の内側でスライディングテープ３２によって上前３１ａの上端に縫付けられている。スライディングテープ３２は、上前３１ａの端縁の外方向に向かって傾斜した状態で上前ベルト部２の内側に挟んで縫付けられている。ここで、上前ベルト部２の裏側に鉤構成体ホール５が設けられているが、ファスナーテープＦａを移動させるためのスライディングテープ３２は上前ベルト部２の内部の表側に取付けられ、薄い生地で仕切って、上前ベルト部２の裏側に弾性材と移動布と鉤構成体４を取付けて鉤構成体ホール５内を移動させることができ、スライディングテープ３２の動きを妨げることがない。
【００５２】
このようにファスナーテープＦａのタック３０に縫付けられた部分は、折り重なり部分による余長分の長さの範囲内で、図３において矢印で示すように、上前３１ａの端縁の外方向に向かって、引いて移動させることができる。即ち、タック３０がファスナーテープＦａを介して上前３１ａの端縁の外側に引張られることで、タック３０の折り重なり部分が引き延ばされ、ファスナーテープＦａを上前３１ａの端縁の外方向に向かって移動させることができる。また、上前３１ａに縫付けられているスライディングテープ３２は、上前３１ａの端縁の外方向に向かって傾斜した状態で上前ベルト部２の内側に挟んで縫付けられているので、ファスナーテープＦａのタック３０への縫付け部分が上前３１ａの端縁の外方向に向かって移動することが、ゆとり方向への移動となるから、その移動を妨げることがない。
【００５３】
タック３０によれば、スライダーＦｃを上げてファスナーＦで前明を閉じた状態において、婦人用パンツ１のウエストベルトを広げる方向に外力を加えると、ファスナーテープＦａの下にタック３０が形成されている領域で、タック３０の折り重なり部分を引き延ばせる長さの範囲内で婦人用パンツ１のウエストサイズが長くなり、ウエストベルトの下部もそのサイズが広くなる。これによって、着用する人の腰周り寸法に合わせてパンツ等の腰周り寸法を移動布によって調節し、同時に着用する人の腰の下部周りの寸法をタックによってファスナーテープを適宜動かすことによって調節することができる。
【００５４】
次に、本実施の形態１にかかるウエストサイズ調節機構付衣服としての婦人用パンツ１の内部構造について、図４を参照して説明する。
【００５５】
図４（ａ）に示されるように、本実施の形態１にかかる婦人用パンツ１は、上前ベルト部２を上下に開いた上半分に鉤構成体ホール５が設けられ、下半分に弾性材としてのゴムテープ８が図示しない左端で縫付けられて、移動布としての図示しない硬めの芯で補強された裏地７ａに右端を縫付けられ、裏地７ａには上前ベルト部２の右端に縫付けられる裏地７ｂが接がれている。そして、裏地７ａに鉤構成体としてのカギホック４が縫付けられており、上前ベルト部２を上下に合わせて縫付けることによって、カギホック４が鉤構成体ホール５から外へ出て、カギホック４は鉤構成体ホール５内で移動可能となる。
【００５６】
さらに、上前ベルト部２を上下に開いた下半分には、鉤構成体ホール５の左端に相当する位置に縦テープ９が上下端を縫付けられており、横方向テープ１０が縦テープ９の下を通して左右端を移動布としての裏地７ａ，７ｂの裏側に縫付けられている。これによって、図４（ｂ）に示されるように、カギホック４がゴムテープ８の引張り力に抗して図示右方向へ移動する場合に、裏地７ａ，７ｂと横方向テープ１０で縦テープ９を挟んだ状態で移動するのでスムーズに移動できるとともに、縦テープ９と横方向テープ１０が噴き出し防止テープの役割をするので、カギホック４に大きな引張り力が掛かっても移動布としての裏地７ａ，７ｂやゴムテープ８が鉤構成体ホール５から噴き出すことはない。
【００５７】
次に、本実施の形態１の変形例にかかるウエストサイズ調節機構付衣服としての婦人用パンツの内部構造について、図５を参照して説明する。
【００５８】
図５に示されるように、移動布としての図示しない硬めの芯で補強された裏地７ａに上前ベルト部２の右端に縫付けられる裏地７ｂが接がれており、裏地７ａに鉤構成体としてのカギホック４が縫付けられ、鉤構成体ホール５の左端に相当する位置に縦テープ９が上下端を縫付けられている点については、図４と同様である。異なるのは、弾性材としてのゴムテープ８が右方向に突出して縦テープ９の下を通して、左右端を裏地７ａの裏側に縫付けられている点である。
【００５９】
これによって、カギホック４がゴムテープ８の引張り力に抗して図示右方向へ移動する場合に、裏地７ａとゴムテープ８の裏地７ａに縫付けられた部分で縦テープ９を挟んだ状態で移動するのでスムーズに移動できるとともに、縦テープ９とゴムテープ８が噴き出し防止テープの役割をする。さらに、ゴムテープ８が右方向に突出しているために、全体の長さが短くなるという利点もある。
【００６０】
このようにして、本実施の形態１及びその変形例にかかるウエストサイズ調節機構付衣服としての婦人用パンツにおいては、見た目は通常のパンツと変わることなく、見栄え良く連続的にウエストサイズを変化させることができ、ウエストサイズの変化に伴ってウエスト近傍に皺等が生じることもなく、噴き出しも防止することができる。
【００６１】
なお、図１に示される下前ベルト部３に上前ベルト部２側へ伸びる持ち出しを付けて、この持ち出しの先端付近にカギホック若しくはメンカンを縫付け、対応する上前ベルト部２の裏側にメンカン若しくはカギホックを縫付けて、これらを嵌合させれば婦人用パンツ１のウエストサイズが固定される。これによって、連続的にウエストサイズを変化させることができる状態とウエストサイズを固定した状態とを容易に切り替えることができる。
【００６２】
実施の形態２
次に、本発明の実施の形態２について、図６を参照して説明する。本発明の実施の形態２も、本発明のウエストサイズ調節機構付衣服を主に婦人用パンツに適用した場合を例示するものである。図６（ａ）は本発明の実施の形態２にかかるウエストサイズ調節機構付衣服の鉤構成体ホールが設けられた上前ベルト部を開いた状態を示す図、（ｂ）は鉤構成体を弾性材の引張り力に抗して移動させた状態を示す図である。
【００６３】
図６（ａ）に示されるように、本実施の形態２にかかる婦人用パンツにおいても、上前ベルト部２を上下に開いた上半分に鉤構成体ホール５が設けられ、下半分に弾性材としてのゴムテープ８が図示しない左端で縫付けられて、移動布としての図示しない硬めの芯で補強された裏地７ａに右端を縫付けられ、裏地７ａには上前ベルト部２の右端に縫付けられる裏地７ｂが接がれている。そして、裏地７ａに鉤構成体としてのカギホック４が縫付けられており、上前ベルト部２を上下に合わせて縫付けることによって、カギホック４が鉤構成体ホール５から外へ出て、カギホック４は鉤構成体ホール５内で移動可能となる。
【００６４】
さらに、鉤構成体ホール５に相当する位置において、鉤構成体ホール５より長い横長のテープ１１が両端を下半分に縫付けられている。そして、この横長のテープ１１の下を通して縦方向テープ１２が上下端を裏地７ａに縫付けられている。これによって、縦方向テープ１２はカギホック４と一体に左右に移動可能となり、図６（ｂ）に示されるように、カギホック４がゴムテープ８の引張り力に抗して図示右方向へ移動する場合に、裏地７ａと縦方向テープ１２で横長のテープ１１を挟んだ状態で移動するのでスムーズに移動できるとともに、縦方向テープ１２と横長のテープ１１が噴き出し防止テープの役割をするので、カギホック４に大きな引張り力が掛かっても移動布としての裏地７ａ，７ｂやゴムテープ８が鉤構成体ホール５から噴き出すことはない。
【００６５】
このようにして、本実施の形態２にかかるウエストサイズ調節機構付衣服としての婦人用パンツにおいては、見た目は通常のパンツと変わることなく、見栄え良く連続的にウエストサイズを変化させることができ、ウエストサイズの変化に伴ってウエスト近傍に皺等が生じることもなく、噴き出しも防止することができる。
【００６６】
実施の形態３
次に、本発明の実施の形態３について、図７を参照して説明する。本発明の実施の形態３も、本発明のウエストサイズ調節機構付衣服を主に婦人用パンツに適用した場合を例示するものである。図７は本発明の実施の形態３にかかるウエストサイズ調節機構付衣服の鉤構成体ホールが設けられた上前ベルト部を開いた状態を示す図である。
【００６７】
図７に示されるように、本実施の形態３の上前ベルト部２は、上記実施の形態１と実施の形態２とを組み合わせたような構造になっている。即ち、横長のテープ１１が左端では下半分に縫付けられ、縦方向のテープ１２が移動布を構成する裏地７ａの裏側に上下端を縫付けられて、縦方向のテープ１２と裏地７ａとで横長のテープ１１を挟んだ状態になっているのに対して、横長のテープ１１の右端は移動布を構成する裏地７ｂの裏側に縫付けられ、縦テープ９が横長のテープ１１の上を通って上下端が下半分に縫付けられて、横長のテープ１１と裏地７ｂとで縦テープ９を挟んだ状態になっている。
【００６８】
これによって、移動布を構成する裏地７ａに縫付けられた鉤構成体としてのカギホック４を鉤構成体ホール５内で移動させる際に、より一層スムーズに真っ直ぐ移動するとともに、縦テープ９，横長のテープ１１，縦方向のテープ１２がいずれも噴き出し防止テープとしての役割を果たすので、より噴き出しが起こり難くなる。また、カギホック４が移動する範囲が２つの縦テープでしっかり限定されるので、ゴムテープ８に無理な力が掛かることがなく寿命が長くなる。
【００６９】
このようにして、本実施の形態３にかかるウエストサイズ調節機構付衣服としての婦人用パンツにおいては、見た目は通常のパンツと変わることなく、見栄え良く連続的にウエストサイズを変化させることができ、ウエストサイズの変化に伴ってウエスト近傍に皺等が生じることもなく、噴き出しもより確実に防止することができる。
【００７０】
実施の形態４
次に、本発明の実施の形態４について、図８及び図９を参照して説明する。
【００７１】
図８（ａ）は本発明の実施の形態４にかかるウエストサイズ調節機能付衣服の上前ベルト部を上下方向に開いて示す図、（ｂ）は「く」の字形テープの先端部分を拡大して示す図、（ｃ）は鉤構成体としてのカギホックが移動したときの「く」の字形テープの先端部分を拡大して示す図である。図９は本発明の実施の形態４の変形例にかかるウエストサイズ調節機能付衣服の上前ベルト部を上下方向に開いて示す図である。
【００７２】
図８（ａ）に示されるように、本実施の形態４にかかるウエストサイズ調節機能付衣服においては、中央部にタック状部分を設けて「く」の字形に折り曲げたテープ１４の上下を上前ベルト部２の下半分に縫付けて、テープ１４の中央線に沿って移動布を構成する裏地７ａを縫付け、裏地７ａに鉤構成体としてのカギホック４を縫付けて、裏地７ａの左端に弾性材としてのゴムテープ８を縫付けている。図８（ｂ）の拡大図に示されるように、テープ１４の「く」の字形に折り曲げた中央部分はタック状になっていて、カギホック４が図示右方向に引張られると、図８（ｃ）に示されるように、中央のタック状部分が上下に分散してテープ１４の遊びが小さくなり、カギホック４を上に持ち上げる力が働いても、カギホック４が取付けられている裏地７ａ、テープ１４、ゴムテープ８等の中味が鉤構成体ホール５から外へ飛び出してしまう噴き出しが起こり難くなる。
【００７３】
これまでに説明した実施の形態１〜３においては、カギホック４が取付けられる裏地７ａが縦方向のテープ或いは横方向のテープによって上前ベルト部２の下半分に押し付けられていたので、カギホック４が引張られても噴き出しは起こり難くなっていたが、本実施の形態４のように移動布としての裏地７ａを押し付けるものがない場合でも、「く」の字形に折り曲げて中央部分をタック状にしたテープ１４で裏地７ａを上前ベルト部２の下半分に取付けることによって、噴き出しを起こり難くすることができる。
【００７４】
次に、本実施の形態４の変形例にかかるウエストサイズ調節機能付衣服の上前ベルト部の構造について、図９を参照して説明する。図９に示されるように、この変形例においては、移動布を構成する裏地７ａを「く」の字形に折り曲げて中央部分をタック状にしたテープ１４で上前ベルト部２の下半分に縫付けるとともに、横方向テープ１３をテープ１４の下を通して両端を移動布を構成する裏地７ａと裏地７ｂの裏側にそれぞれ縫付ける。これによって、テープ１４が横方向テープ１３と裏地７ａ，７ｂで挟まれることになり、裏地７ａに縫付けられたカギホック４の右方向への移動がスムーズになるとともに、噴き出しを一層起こり難くすることができる。
【００７５】
ここで、噴き出しの起こる場合と起こらない場合について、図１０を参照して説明する。図１０は噴き出しの起こる場合と起こらない場合とを、上前ベルト部の断面として示した模式図である。図１０（ａ）に示されるように弾性材８に引張り力がかからず、カギホック４が鉤構成体ホール５の左端に位置している状態から、図１０（ｂ）に示されるようにカギホック４に右方向への引張り力が掛かるとともに上方向に引き上げる力が掛かった場合でも、上記各実施の形態においては、裏地７ａが縦方向のテープ或いは横方向のテープによって上前ベルト部２の下半分に押し付けられているので、噴き出しは起こり難い。これに対して、何の対策も取られていない場合には、図１０（ｃ）に示されるように、裏地７ａが鉤構成体ホール５から引っ張り出され、さらに弾性材８，裏地７ｂも引き出されてしまう噴き出しが起こってしまう。
【００７６】
実施の形態５
次に、本発明の実施の形態５について、図１１を参照して説明する。図１１（ａ），（ｂ），（ｃ）は本発明の実施の形態５にかかるウエストサイズ調節機構付衣服の移動布ユニットの作製方法を裏側から見て示す図、（ｄ）は噴き出し防止テープの取付け方を示す図、（ｅ）は噴き出し防止テープの変形例を示す図、（ｆ）は噴き出し防止テープの別の変形例を示す図である。
【００７７】
図１１（ａ）に示されるように、ゴムテープ８、伸び止め材１７、裏地７ａを重ねて、ゴムテープ８と伸び止め材１７の端をミシンステッチ１６ａで仮止めする。そして、ゴムテープ８と伸び止め材１７を裏地７ａの縫代で包んで２本のミシンステッチ１８ａを掛ける。次に、図１１（ｂ）に示されるように、補強用の硬めの芯１９の周囲をミシンステッチ１９ａで押えて剥がれないようにし、さらに図１１（ｃ）に示されるように、裏地７ａ，７ｂの上に５ｃｍの長さの２本の噴き出し防止テープ２２をセットして、左端から１ｃｍの位置で頑丈にミシンステッチ２２ａを掛けて止める。この段階では、右端から１ｃｍの位置のミシンステッチ２２ｂはまだ掛けないでおく。
【００７８】
次に、図１１（ｄ）に示されるように、上前ベルト部２に縦方向の噴き出し防止テープ２１を、前記２本の噴き出し防止テープ２２を通すために、４本のステッチ２１ａで縫付ける。変形例として、図１１（ｅ）に示されるように横方向の噴き出し防止テープ２２を１本としたり、図１１（ｆ）に示されるように３本としても良い。後は、図１１（ｃ）の移動布ユニット１５Ａを上前ベルト部２にセットしてゴムテープ８と伸び止め材１７の端を２本ステッチで止め、所定位置にカギホック４を縫付ける。
【００７９】
このようにして、本実施の形態５にかかるウエストサイズ調節機構付衣服としての婦人用パンツにおいては、見た目は通常のパンツと変わることなく、見栄え良く連続的にウエストサイズを変化させることができ、ウエストサイズの変化に伴ってウエスト近傍に皺等が生じることもなく、さらに伸び止め材を取付けたことによって弾性材の寿命も延び、噴き出しもより確実に防止することができる。
【００８０】
実施の形態６
次に、本発明の実施の形態６にかかるウエストサイズ調節機能付衣服について、図１２を参照して説明する。図１２は本発明の実施の形態６にかかるウエストサイズ調節機能付衣服の上前ベルト部を上下方向に開いて示す図である。
【００８１】
図１２に示されるように、本実施の形態６にかかるウエストサイズ調節機能付衣服においては、弾性材としてのゴムテープ８を移動布を構成する裏地７ａの奥深くまで縫付けて、鉤構成体ホール５の位置に鉤構成体ホール５よりも長く間を空けて下半分に両端を縫付けられた横長のテープ１１をその下を通した縦方向テープ１２の上下端を裏地７ａに縫付けて、横方向に移動布７ａ，７ｂがスライド可能になっている。このように、ゴムテープ８を裏地７ａの奥深くまで入り込ませることによって、上記実施の形態１の変形例と同様に、カギホック４を移動させる機構が短くなり、目立たなくなって通常のパンツと全く変わらなく見えるという効果がある。
【００８２】
このようにして、本実施の形態６にかかるウエストサイズ調節機能付衣服としての婦人用パンツは、見た目は通常のパンツと変わることなく、見栄え良く連続的にウエストサイズを変化させることができ、ウエストサイズの変化に伴ってウエスト近傍に皺等が生じることもなく、噴き出しも防止することができる。
【００８３】
以上説明したように、上記各実施の形態にかかるウエストサイズ調節機能付衣服は、弾性材としてのゴムテープ８を強力なものにすれば、指先でウエストサイズを緩めて手を離せば直ぐにまたぴったりフィットした元の状態に戻る。ここで、常にジャストフィットの状態を保てるパンツとするために、弾性材を強力にする方法について、図１３を参照して説明する。図１３（ａ），（ｂ）は、いずれも２本の弾性材をカギホック４を取付ける裏地７ａに縫付けた状態を示す図である。
【００８４】
図１３（ａ），（ｂ）に示されるように、Ｖ字形に組み合わせたゴムテープ８ａ，８ｂ或いは８ｃ，８ｄをカギホック４を取付ける裏地７ａの左端に縫付け、図示されないゴムテープ８ａ，８ｂ或いは８ｃ，８ｄの左端を上前ベルト部２の下半分に縫付ければ、２本のゴムテープ８ａ，８ｂ或いは８ｃ，８ｄによってより強力な弾性力が得られ、指先でウエストサイズを緩めても、手を離せば直ちにぴったりフィットした元の状態に戻る。
【００８５】
実施の形態７
次に、本発明の実施の形態７について、図１４及び図１５を参照して説明する。本発明の実施の形態７も、本発明のウエストサイズ調節機構付衣服を主に婦人用パンツに適用した場合を例示するものである。
【００８６】
図１４は本発明の実施の形態７にかかるウエストサイズ調節機構付衣服の上前ベルト部を上下に開いた状態を表側から見て示すものである。図１５（ａ）は本発明の実施の形態７にかかるウエストサイズ調節機構付衣服の移動布ユニットを示す図、（ｂ）〜（ｅ）は移動布ユニットの変形例を示す図である。
【００８７】
図１４に示されるように、本実施の形態７にかかる婦人用パンツの上前ベルト部２５は、中央線（一点鎖線）から上半分を向う側へ折り曲げて形成されるものである。これに対して、上記実施の形態１〜６の上前ベルト部２の展開図においては、上前ベルト部２を上下に開いた状態を裏側から見て示しており、中央線（一点鎖線）から上半分を手前側へ折り曲げて形成されるものである。したがって、図１４に示される上前ベルト部２５もやはり前明が左前になる。
【００８８】
図１４に示されるように、上前ベルト部２５の上半分には鉤構成体ホール２６が設けられているが、上記実施の形態１〜６の鉤構成体ホール５がいずれも細長い長円形であったのに対して、鉤構成体ホール２６は一方が略直角の角を有している。この他にも、細長い長方形の鉤構成体ホール等、様々な形状とすることができる。鉤構成体ホール２６の周囲はコバステッチ押えされており、その周囲には補強用にＬ字形の硬めの芯２７が上前ベルト部２５の上半分の裏側に貼り付けられている。さらに、上前ベルト部２５の下半分の裏側にも補強用の幅３ｃｍのインベル芯２８が貼り付けられており、このインベル芯２８の上に以下に説明するような様々な移動布ユニットが取付けられる。
【００８９】
図１５（ａ）に示されるように、本実施の形態７にかかる婦人用パンツの移動布ユニット第１の例としての移動布ユニット３５Ａは、幅１．５ｃｍの弾性材としてのゴムテープ３８、同じく幅１．５ｃｍの伸び止め材３７、そして移動布ユニットの中心となる補強用の硬めの芯３６を内部に貼り付けた移動布としての裏地３９ａと補強部分に縫付けられた鉤構成体としてのカギホック４から構成されている。ここで、伸び止め材３７と裏地３９ａとしては婦人用パンツの表地と同系色の裏地を用いて、裏地３９ａの幅は上前中心部に向かって拡がるようにしている。
【００９０】
なお、ここでは婦人用パンツの表地と同系色の裏地を用いることによって鉤構成体ホール２６が裏側から見えた場合にも目立たないようにしているが、場合によっては逆に婦人用パンツの表地とは異なる原色等の目立つ色の裏地を用いることによって、デザインとしても良い。
【００９１】
図１５（ｂ）に示されるように、本実施の形態７の移動布ユニット第２の例としての移動布ユニット３５Ｂは、移動布ユニット３５Ａと殆ど同じ構造であり、移動布としての裏地３９が拡がらずに同一幅である点が異なるだけである。但し、伸び止め材３７とゴムテープ３８は幅が２．５ｃｍと太くなっており、さらに伸び止め材３７は輪にせずに１枚物として上下辺をロック始末している。
【００９２】
図１５（ｃ）に示されるように、本実施の形態７の移動布ユニット第３の例としての移動布ユニット３５Ｃは、移動布ユニット３５Ｂと殆ど同じ構造であるが、移動布としての裏地３９を輪にせずに１枚物として上下辺をロック始末している。
【００９３】
さらに、図１５（ｄ）に示されるように、移動布ユニット第４の例としての移動布ユニット３５Ｄは伸び止め材３７を筒状に縫って、中にゴムテープ３８を入れて２本のステッチ３７ａを掛けてシャーリングにしたものである。また、図１５（ｅ）に示されるように、移動布ユニット第５の例としての移動布ユニット３５Ｅは伸び止め材３７の上下辺をロック始末したものをゴムテープ３８と合わせて２本のステッチ３７ａを掛けてシャーリングにしたものである。
【００９４】
これらの移動布ユニットを図１４に示される上前ベルト部２５の下半分の裏側に取付けて、カギホック４を鉤構成体ホール２６から表に出し、図示しない下前ベルト部に受構成体としてのメンカンを縫付ければ、本実施の形態７にかかる婦人用パンツが完成する。
【００９５】
上記各実施の形態においては、本発明のウエストサイズ調節機構付衣服を婦人用パンツに適用した場合のみについて説明したが、本発明のウエストサイズ調節機構付衣服は衣服全般について適用できるものであり、紳士用ズボン、Ｇパン、綿パン、スカート、学生服、子供服、ワンピース等にも適用することができる。
【００９６】
また、上記各実施の形態においては、上前ベルト部２，２５に鉤構成体ホールを設けた例のみについて説明したが、下前ベルト部に鉤構成体ホールを設けて上前ベルト部にメンカンを取付けることもできる。この場合には、鉤構成体ホールが外から見えないようにするためには上前ベルト部にポイントを設ければ良い。また、上述したように、わざと鉤構成体ホールが外から見えるようにして、内部の裏地に原色等の目立つ色を用いることによってデザインとすることもできる。
【００９７】
また、上記各実施の形態においては、弾性材としてゴムテープ８，３８を用いているが、その他のゴム板を所定寸法に裁ち切ったもの等を用いても良い。
【００９８】
さらに、上記各実施の形態においては、ウエストサイズの変化に伴ってファスナーテープが移動できるように、ファスナーテープを縫付けるパンツ等の上前にタックを設けた例について説明したが、必ずしもウエストサイズの変化に伴ってファスナーテープが移動できる構造でなくても構わない。
【００９９】
ウエストサイズ調節機構付衣服のその他の部分の構造、形状、数量、材質、大きさ、接続関係等についても、上記各実施の形態に限定されるものではない。
【図面の簡単な説明】
【０１００】
【図１】図１は本発明の実施の形態１にかかるウエストサイズ調節機構付衣服の前明を外した状態を裏側から見て示す部分図である。
【図２】図２は本発明の実施の形態１にかかるウエストサイズ調節機構付衣服の上前部分の構造を示す説明図である。
【図３】図３は本発明の実施の形態１にかかるウエストサイズ調節機構付衣服における上前部分に設けられたタックの構造を示す斜視図である。
【図４】図４（ａ）は本発明の実施の形態１にかかるウエストサイズ調節機構付衣服の鉤構成体ホールが設けられた上前ベルト部を開いた状態を示す図、（ｂ）は鉤構成体を弾性材の引張り力に抗して移動させた状態を示す図である。
【図５】図５は本発明の実施の形態１の変形例にかかるウエストサイズ調節機構付衣服の上前ベルト部を開いた状態を示す図である。
【図６】図６（ａ）は本発明の実施の形態２にかかるウエストサイズ調節機構付衣服の鉤構成体ホールが設けられた上前ベルト部を開いた状態を示す図、（ｂ）は鉤構成体を弾性材の引張り力に抗して移動させた状態を示す図である。
【図７】図７は本発明の実施の形態３にかかるウエストサイズ調節機構付衣服の鉤構成体ホールが設けられた上前ベルト部を開いた状態を示す図である。
【図８】図８（ａ）は本発明の実施の形態４にかかるウエストサイズ調節機能付衣服の上前ベルト部を上下方向に開いて示す図、（ｂ）は「く」の字形テープの先端部分を拡大して示す図、（ｃ）は鉤構成体としてのカギホックが移動したときの「く」の字形テープの先端部分を拡大して示す図である。
【図９】図９は本発明の実施の形態４の変形例にかかるウエストサイズ調節機能付衣服の上前ベルト部を上下方向に開いて示す図である。
【図１０】図１０は噴き出しの起こる場合と起こらない場合とを、上前ベルト部の断面として示した模式図である。
【図１１】図１１（ａ），（ｂ），（ｃ）は本発明の実施の形態５にかかるウエストサイズ調節機構付衣服の移動布ユニットの作製方法を裏側から見て示す図、（ｄ）は噴き出し防止テープの取付け方を示す図、（ｅ）は噴き出し防止テープの変形例を示す図、（ｆ）は噴き出し防止テープの別の変形例を示す図である。
【図１２】図１２は本発明の実施の形態６にかかるウエストサイズ調節機能付衣服の上前ベルト部を上下方向に開いて示す図である。
【図１３】図１３（ａ），（ｂ）は、いずれも２本の弾性材をカギホック４を取付ける裏地７ａに縫付けた状態を示す図である。
【図１４】図１４は本発明の実施の形態７にかかるウエストサイズ調節機構付衣服の上前ベルト部を上下に開いた状態を表側から見て示すものである。
【図１５】図１５（ａ）は本発明の実施の形態７にかかるウエストサイズ調節機構付衣服の移動布ユニットを示す図、（ｂ）〜（ｅ）は移動布ユニットの変形例を示す図である。
【符号の説明】
【０１０１】
１  ウエストサイズ調節機構付衣服
２，２５  上前ベルト部
３  下前ベルト部
４  鉤構成体
５，２６  鉤構成体ホール
６  受構成体
７ａ，７ｂ，３９，３９ａ  移動布
８，３８  弾性材
８ａ，８ｂ，８ｃ，８ｄ  ２本の弾性材
９  縦テープ
１０，１３  横方向テープ
１１  横長のテープ
１２  縦方向テープ
１４  折り曲げたテープ
１７，３７  伸び止め材
１９，２７，２８，３６  硬めの芯
２１，２２  噴き出し防止テープ
３０  タック
Ｆ  ファスナー
Ｆａ  ファスナーテープ
【図１】
2005146478.tif 000003
【図２】
2005146478.tif 000004
【図３】
2005146478.tif 000005
【図４】
2005146478.tif 000006
【図５】
2005146478.tif 000007
【図６】
2005146478.tif 000008
【図７】
2005146478.tif 000009
【図８】
2005146478.tif 000010
【図９】
2005146478.tif 000011
【図１０】
2005146478.tif 000012
【図１１】
2005146478.tif 000013
【図１２】
2005146478.tif 000014
【図１３】
2005146478.tif 000015
【図１４】
2005146478.tif 000016
【図１５】
2005146478.tif 000017